(57)【要約】【課題】ユーザの金銭的負担の増加が抑えられるとともに、故障や、買い換え等にともなう交換時のユーザの作業負担が抑えられるテレビジョン装置を提供する。【解決手段】テレビジョン装置１は、スタンド１５で表示パネル６ａを支持している。また、集合タップ端子ユニット１１との接続に用いるコネクタ３ａを、テレビジョン装置１本体の側面に配置している。集合タップ端子ユニット１１には、アンテナ線を接続するアンテナ端子や、外部機器を接続するＳ端子、ＲＣＡ端子、光出力端子、ＨＤＭＩ端子、Ｄ端子などが設けられている。集合タップ端子ユニット１１と、テレビジョン装置１本体と、をコネクタ３ａ、１１ａで接続することにより、この集合タップ端子ユニット１１に接続されているアンテナ線や、外部機器をテレビジョン装置１本体に接続することができる。【選択図】図１
2009089310.tif 000002
【特許請求の範囲】
【請求項１】
アンテナを介して入力されているテレビ放送信号から、その時点で選局されているチャンネルで放送されている番組の映像信号、および音声信号を取り出し、これらの信号に基づいて、当該番組の映像、および音声を出力するテレビジョン装置において、
装置本体と別体に構成し、外部機器との接続に使用する複数の接続端子を設けた集合タップ端子ユニットを備え、
前記集合タップ端子ユニットと、装置本体と、が単一のコネクタで接続される、テレビジョン装置。
【請求項２】
装置本体側に、前記集合タップ端子ユニットを収納する収納部を設けた、請求項１に記載のテレビジョン装置。
【請求項３】
前記収納部は、映像を表示する表示パネルを支持するスタンドに設けられている、請求項２に記載のテレビジョン装置。
【請求項４】
前記収納部は、前記表示パネルの表示面側に設けられている、請求項３に記載のテレビジョン装置。
【請求項５】
前記集合タップ端子ユニットと、装置本体と、を接続するコネクタを、装置本体側面に設けた請求項１〜４のいずれかに記載のテレビジョン装置。
【発明の詳細な説明】
【技術分野】
【０００１】
この発明は、アンテナを介して入力されているテレビ放送信号から、その時点で選局されているチャンネルで放送されている番組の映像信号、および音声信号を取り出し、これらの信号に基づいて、当該番組の映像、および音声を出力するテレビジョン装置に関する。
【背景技術】
【０００２】
従来、アンテナを介して入力されているテレビ放送信号から、その時点で選局されているチャンネルで放送されている番組の映像信号、および音声信号を取り出し、これらの信号に基づいて、当該番組の映像、および音声を出力するテレビジョン装置が広く一般に普及している。最近では、映像を表示する表示パネルを、液晶やプラズマ等で構成した、所謂薄型テレビが普及している。
【０００３】
また、テレビジョン装置は、テレビ放送されている番組を視聴するだけでなく、再生装置を接続してＤＶＤやハードディスク等の記録媒体に録画されている番組を視聴したり、ゲーム機を接続してゲームをプレイする等、様々な形態で利用されている。このため、テレビジョン装置には、外部機器として、上述の再生装置やゲーム機等の多種多様な機器を接続するための接続端子が複数設けられている。
【０００４】
また、テレビジョン装置に接続される外部機器の増加にともなって、テレビジョン装置に接続される接続ケーブルが増加している。そこで、無線通信機を用いて、テレビジョン装置と、外部機器との間における入出力を無線通信で行うことが提案されている（特許文献１、２等参照）。
【特許文献１】特開平１１−３０８４７９号公報
【特許文献２】特開２００１−１５７０８０号公報
【発明の開示】
【発明が解決しようとする課題】
【０００５】
しかしながら、特許文献１、２等で提案されている、テレビジョン装置と、外部機器との間における入出力を無線通信で行う構成では、無線通信機が必要になる。そして、この無線通信機にかかるコストをユーザが負担しなければならず、ユーザの金銭的負担が大きくなるという問題がある。
【０００６】
また、従来のように、接続ケーブルで、外部機器とテレビジョン装置本体と、を直接接続する構成では、テレビジョン装置の故障や、買い換え等にともなうテレビジョン装置の交換時に、外部機器毎に、新しいテレビジョン装置との接続をやり直さなければならず、ユーザの作業負担が大きいという問題がある。
【０００７】
この発明の目的は、ユーザの金銭的負担の増加が抑えられるとともに、故障や、買い換え等にともなう交換時のユーザの作業負担が抑えられるテレビジョン装置を提供することにある。
【課題を解決するための手段】
【０００８】
この発明のテレビジョン装置は、上記課題を解決し、その目的を達するために、以下のように構成している。
【０００９】
この発明にかかるテレビジョン装置は、アンテナを介して入力されているテレビ放送信号から、その時点で選局されているチャンネルで放送されている番組の映像信号、および音声信号を取り出し、これらの信号に基づいて、当該番組の映像、および音声を出力する装置本体と別体に構成した集合タップ端子ユニットに、外部機器との接続に使用する複数の接続端子を設けている。そして、この集合タップ端子ユニットと、装置本体と、が単一のコネクタで接続される。
【００１０】
このように、外部機器がテレビジョン装置本体に対して有線で接続される構成であるので、ユーザの金銭的負担が抑えられる。また、集合タップ端子ユニットと、装置本体と、の接続が単一のコネクタで行えるので、テレビジョン装置本体の故障や、買い換え等にともなう交換時のユーザの作業負担も抑えられる。
【００１１】
また、テレビジョン装置本体側に、前記集合タップ端子ユニットを収納する収納部を設け、この集合タップ端子ユニットが、ユーザの邪魔にならない場所に収納できるように構成してもよい。この収納部は、例えば、映像を表示する表示パネルを支持するスタンド等に設ければよい。また、この収納部を、前記表示パネルの表示面側に設け、前記集合タップ端子ユニットを、装置本体に収納したり、装置本体から取り外す作業が簡単に行えるようにしてもよい。
【００１２】
さらに、前記集合タップ端子ユニットと、装置本体と、を接続するコネクタを、装置本体側面に設け、集合タップ端子ユニットと、装置本体と、を接続にかかる作業が一層簡単に行えるようにしてもよい。
【発明の効果】
【００１３】
この発明によれば、ユーザの金銭的負担の増加が抑えられるとともに、故障や、買い換え等にともなう交換時のユーザの作業負担が抑えられる。
【発明を実施するための最良の形態】
【００１４】
以下、この発明の実施形態であるテレビジョン装置について説明する。
【００１５】
図１は、この実施形態にかかるテレビジョン装置の主要部の構成を示す概略のブロック図である。また、図２、および図３は、このテレビジョン装置の外観を示す概略図である。テレビジョン装置１は、制御部２と、外部入出力インタフェース３（以下、外部入出力Ｉ／Ｆ３と言う。）と、チューナ４と、信号処理部５と、表示部６と、操作部７と、を本体に備えている。また、本体とは別体に構成した集合タップ端子ユニット１１を備えている。このテレビジョン装置１は、アンテナを介して入力されているテレビ放送信号から、その時点で選局されているチャンネルで放送されている番組の映像信号、および音声信号を取り出し、これらの信号に基づいて、当該番組の映像、および音声を出力する。また、外部機器から入力されている映像信号、および音声信号を出力することもできる。接続される外部機器としては、公知のＤＶＤプレイヤ、ゲーム機等がある。
【００１６】
制御部２は、本体各部の動作を制御する。外部入出力Ｉ／Ｆ３には、テレビジョン装置１本体とは別体に構成された集合タップ端子ユニット１１が接続される。この集合タップ端子ユニット１１には、テレビジョン装置１に接続する外部機器の入出力線が接続されるだけでなく、テレビ放送信号を受信するアンテナと接続するアンテナ線も接続される。外部入出力Ｉ／Ｆ３と、集合タップ端子ユニット１１と、は単一のコネクタ３ａ、１１ａで接続される。外部入出力Ｉ／Ｆ３には、集合タップ端子ユニット１１を接続するためのコネクタ３ａが設けられている。また、集合タップ端子ユニット１１には、このコネクタ３ａに接続されるコネクタ１１ａを先端に取り付けた接続ケーブルが設けられている。
【００１７】
チューナ４は、選局されているチャンネルで放送されているテレビ放送信号を抽出する。信号処理部５は、チューナ４で抽出されたテレビ放送信号や、外部入出力Ｉ／Ｆ３に入力されている外部機器からの映像信号や音声信号を処理する。表示部６は、液晶やプラズマ等の表示パネル６ａを有し、信号処理部５で処理された映像信号に基づく映像を表示パネル６ａに表示する。信号処理部５で処理された音声信号に基づく音声は、図示していないスピーカから放音される。操作部７は、テレビジョン装置１本体に対するユーザの入力操作を受け付ける。操作部７は、操作キーを有するとともに、図示していないリモコン装置から送信されてきたテレビジョン装置１本体に対する制御信号を受信するリモコン受信部を有している。
【００１８】
制御部２は、信号処理部５に対して処理する映像信号や、音声信号をチューナ４の出力、または接続されているいずれの外部機器からの入力とするかの指示等を行う。また、制御部２は、ユーザが行った入力操作に応じて、チューナ４に対して抽出するテレビ放送信号のチャンネルの指示等も行う。
【００１９】
テレビジョン装置１は、図２や、図３に示すように、スタンド１５で表示パネル６ａを支持している。表示パネル６ａは、一般的なテレビジョン装置と同様に、前面が開口した筐体に取り付けられており、この筐体内部に図１に示した各部が収納されている。また、集合タップ端子ユニット１１との接続に用いるコネクタ３ａを、この筐体の側面（テレビジョン装置１本体の側面）に配置している。
【００２０】
集合タップ端子ユニット１１には、アンテナ線を接続するアンテナ端子や、外部機器を接続するＳ端子、ＲＣＡ端子、光出力端子、ＨＤＭＩ端子、Ｄ端子などが設けられている。また、集合タップ端子ユニット１１には、テレビジョン装置１本体と接続する接続ケーブルが設けられている。このケーブルの先端には、上述したように、コネクタ３ａに結合するコネクタ１１ａが取り付けられている。コネクタ１１ａの各ピンは、集合タップ端子ユニット１１に設けられている端子と接続されている。すなわち、集合タップ端子ユニット１１と、テレビジョン装置１本体と、をコネクタ３ａ、１１ａで接続することにより、この集合タップ端子ユニット１１に接続されているアンテナ線や、外部機器をテレビジョン装置１本体に接続することができる。
【００２１】
さらに、スタンド１５の上面には、集合タップ端子ユニット１１が収納可能な大きさの凹部１５ａが形成されている。集合タップ端子１１は、この凹部１５ａに挿入することによって、図３に示すように、スタンド１５に収納できる。
【００２２】
このように、このテレビジョン装置１は、本体とは別体に構成した集合タップ端子ユニット１１を有し、この集合タップ端子ユニット１１にアンテナ線や外部機器が接続される。そして、テレビジョン装置１本体と、集合タップ端子ユニット１１とは、単一のコネクタ３ａ、１１ａで接続される。すなわち、集合タップ端子ユニット１１を介して、アンテナ線や外部機器がテレビジョン装置１本体に有線で接続される。したがって、ユーザの金銭的負担が抑えられる。
【００２３】
また、集合タップ端子ユニット１１と、テレビジョン装置１本体と、の接続が単一のコネクタ３ａ、１１ａで行えるので、テレビジョン装置１本体の故障や、買い換え等にともなう交換時には、コネクタ１１ａをテレビジョン装置１本体から抜き取り、このコネクタ１１ａを新たなテレビジョン装置１本体のコネクタ３ａに接続するだけで、アンテナ線や外部機器を、新たなテレビジョン装置１（交換したテレビジョン装置１）に接続することができる。したがって、テレビジョン装置１本体の交換時におけるユーザの作業負担も抑えられる。
【００２４】
さらに、コネクタ３ａをテレビジョン装置１本体の側面に設けているので、テレビジョン装置１本体の背面に手を潜り込ませることなく、コネクタ３ａ、１１ａの抜き差しにかかる作業が行える。
【００２５】
なお、コネクタ３ａについては、テレビジョン装置１本体の側面にかかわらず、テレビジョン装置１本体の背面に手を潜り込ませることなく、コネクタ３ａ、１１ａの抜き差しが行える場所であれば、上面や下面に設けてもよい。
【００２６】
また、集合タップ端子ユニット１１を収納する収納部（凹部１５ａ）をスタンド１５に設けたので、集合タップ端子ユニット１１を邪魔にならない位置に収納できる。
【００２７】
なお、集合タップ端子ユニット１１を収納する収納部については、表示パネル６ａの前面側に限らず、背面側であってもよい。また、テレビジョン装置１本体の側面や、背面にフックを設けるとともに、集合タップ端子ユニット１１に、このフックに引っかけるリング等を設けてもよい。
【図面の簡単な説明】
【００２８】
【図１】この実施形態にかかるテレビジョン装置の主要部の構成を示す概略のブロック図である。
【図２】このテレビジョン装置の外観を示す概略図である。
【図３】集合タップ端子ユニットをスタンドに収納した状態を示す図である。
【符号の説明】
【００２９】
１−テレビジョン装置
２−制御部
３−外部入出力インタフェース（外部入出力Ｉ／Ｆ）
３ａ、１１ａ−コネクタ
４−チューナ
５−信号処理部
６−表示部
７−操作部
１１−集合タップ端子ユニット
１５−スタンド
１５ａ−凹部
【図１】
2009089310.tif 000003
【図２】
2009089310.tif 000004
【図３】
2009089310.tif 000005